(57)【特許請求の範囲】
【請求項１】
記憶装置を有する画像処理装置と、当該画像処理装置と通信可能に接続されている情報処理装置とを備えるパーティション情報更新システムであって、
前記情報処理装置は、前記記憶装置の種類を示す装置情報を前記画像処理装置に問い合わせる問い合わせ手段と、前記装置情報に基づいて前記記憶装置を論理的に分割するためのパーティション情報を前記画像処理装置に送信する送信手段とを有し、
前記画像処理装置は、前記問い合わせ手段の問い合わせに応じて前記情報処理装置に前記装置情報を送信する応答手段と、前記送信手段からのパーティション情報に基づいて前記記憶装置を論理的に分割する分割手段とを有することを特徴とするパーティション情報更新システム。
【請求項２】
前記画像処理装置と前記情報処理装置とは、有線もしくは無線のネットワークで接続されていることを特徴とする請求項１に記載のパーティション情報更新システム。
【請求項３】
前記記憶装置は、ハードディスクであることを特徴とする請求項１又は２に記載のパーティション情報更新システム。
【請求項４】
画像処理装置の有する記憶装置に関するパーティション情報を更新するパーティション情報更新装置であって、
前記記憶装置の装置情報を前記画像処理装置から取得する取得手段と、前記装置情報に基づいて前記記憶装置を論理的に分割するためのパーティション情報を前記画像処理装置に送信する送信手段とを有することを特徴とするパーティション情報更新装置。
【請求項５】
前記画像処理装置とは、有線もしくは無線のネットワークで接続されていることを特徴とする請求項４に記載のパーティション情報更新装置。
【請求項６】
記憶装置を有する画像処理装置と、当該画像処理装置と通信可能に接続され前記記憶装置に保存するパーティション情報を保持する情報処理装置とを備える情報更新システムによるパーティション情報更新方法であって、
前記情報処理装置は、前記記憶装置の装置情報を前記画像処理装置に問い合わせる問い合わせ工程と、前記画像処理装置が前記問い合わせ工程の問い合わせに応じて前記情報処理装置に前記装置情報を送信する応答工程と、前記情報処理装置が前記応答工程により取得した装置情報に基づいて前記記憶装置を論理的に分割するためのパーティション情報を前記画像処理装置に送信する送信工程とを有し、
前記画像処理装置は、前記パーティション情報に基づいて前記記憶装置を論理的に分割する分割工程を有することを特徴とするパーティション情報更新方法。
【請求項７】
コンピュータを請求項４に記載のパーティション情報更新装置の有する各手段として機能させることを特徴とするコンピュータが読み取り可能な記憶媒体。
【発明の詳細な説明】
【０００１】
【発明の属する技術分野】
本発明は、パーティション情報更新システム、パーティション情報更新装置、パーティション情報更新方法及び記憶媒体に関し、特に、制御装置に付属する外部記憶装置（ハードディスクドライブ（以下ＨＤＤ）等）の更新を行う場合に好適なパーティション情報更新システム、パーティション情報更新装置、パーティション情報更新方法及び記憶媒体に関する。
【０００２】
【従来の技術】
近年の様々な制御装置には、各種の情報を保存するためにハードディスク等の外部二次記憶装置が装着されている場合がある。これらの記憶装置は、全体を論理的に複数の部分（パーティション）に分割できるようになっており、予め工場で分割しておき装置に組み込んでいる。
【０００３】
【発明が解決しようとする課題】
しかしながら、上述した従来技術においては次のような問題があった。即ち、制御装置のソフトウェアを途中からバージョンアップする必要が出た場合に、ＨＤＤのパーティションも変更しなければならないことがある。また、何らかの影響でＨＤＤのデータが破壊され、制御装置が動作しなくなってしまう場合もある。このような場合は、通常ＨＤＤを交換していたが、制御装置につないだホストからパーティションを作成し直せるようにした方がコストや時間が削減できる。
【０００４】
一方で、当初、制御装置に装着していたＨＤＤが生産中止になったり、より安価なＨＤＤに切り替える等の理由で、様々な種類のＨＤＤが制御装置に装着されている場合がある。よって、複数の種類のＨＤＤのパーティションを作成／更新できる必要がある。
【０００５】
本発明は、上述した点に鑑みなされたものであり、画像処理装置の記録装置について簡単にパーティション情報を更新可能とすることでユーザビリティを向上することを可能としたパーティション情報更新システム、パーティション情報更新装置、パーティション情報更新方法及び記憶媒体を提供することを目的とする。
【０００６】
【課題を解決するための手段】
上記目的を達成するため、本発明は、記憶装置を有する画像処理装置と、当該画像処理装置と通信可能に接続されている情報処理装置とを備えるパーティション情報更新システムであって、前記情報処理装置は、前記記憶装置の種類を示す装置情報を前記画像処理装置に問い合わせる問い合わせ手段と、前記装置情報に基づいて前記記憶装置を論理的に分割するためのパーティション情報を前記画像処理装置に送信する送信手段とを有し、前記画像処理装置は、前記問い合わせ手段の問い合わせに応じて前記情報処理装置に前記装置情報を送信する応答手段と、前記送信手段からのパーティション情報に基づいて前記記憶装置を論理的に分割する分割手段とを有することを特徴とする。
【００２２】
【発明の実施の形態】
以下、本発明の実施の形態を図面に基づいて詳細に説明する。
【００２３】
［第１の実施の形態］
図１は本発明の第１の実施の形態に係る画像入出力システムの全体構成を示すブロック図である。本発明の第１の実施の形態に係る画像入出力システムは、画像入出力装置１００と、ホストコンピュータ４００から大略構成されている。更に、画像入出力装置１００は、制御装置（コントローラ部）１１０と、操作部１５０と、記憶装置１７０と、スキャナユニット２１０・原稿給送ユニット（ＤＦユニット）２５０を有するリーダ部（画像入力装置）２００と、給紙ユニット３１０・マーキングユニット３２０・排紙ユニット３３０を有するプリンタ部（画像出力装置）３００とを備えている。
【００２４】
上記構成を詳述すると、リーダ部２００は、原稿画像を光学的に読み取り、画像データに変換する。リーダ部２００において、スキャナユニット２１０は、原稿を読み取るための機能を持つ。原稿給送ユニット２５０は、原稿用紙を搬送するための機能を持つ。プリンタ部３００は、記録紙を搬送し、記録紙上に画像データを可視画像として印字すると共に装置外に排紙する。プリンタ部３００において、給紙ユニット３１０は、複数種類の記録紙カセットを持つ。マーキングユニット３２０は、画像データを記録紙に転写、定着させる機能を持つ。排紙ユニット３３０は、印字された記録紙をソート、ステイプルして機外へ出力する機能を持つ。
【００２５】
制御装置１１０は、リーダ部２００、プリンタ部３００と電気的に接続され、更にネットワーク４１０を介して複数のホストコンピュータ４００…と接続されており、リーダ部２００を制御して原稿の画像データを読み込み、プリンタ部３００を制御して画像データを記録紙に出力するコピー機能を提供する。また、制御装置１１０は、リーダ部２００から読み取った画像データをコードデータに変換し、ネットワーク４１０を介してホストコンピュータ４００へ送信するスキャナ機能、ホストコンピュータ４００からネットワーク４１０を介して受信したコードデータを画像データに変換し、プリンタ部３００に出力するプリンタ機能を提供する。
【００２６】
操作部１５０は、制御装置１１０に接続され、例えば液晶タッチパネルで構成され、画像入出力装置１００を操作するためのユーザインタフェースを提供する。記憶装置１７０は、各種情報を記憶するものであり、全体を論理的に複数の部分（パーティション）に分割可能なハードディスク（ＨＤＤ）として構成されている。
【００２７】
ホストコンピュータ４００は、ネットワーク４１０もしくはセントロニクス等のケーブルで、または無線で、画像入出力装置１００と接続されており、制御装置１１０と通信しながらデータの送受信を行うことができる。
【００２８】
図２は本発明の第１の実施の形態に係る画像入出力装置１００のリーダ部２００及びプリンタ部３００の内部構造を示す構成図である。本発明の第１の実施の形態に係る画像入出力装置１００のリーダ部２００は、原稿給送ユニット２５０、プラテンガラス２１１、ランプ２１２・ミラー２１４を有する光学ユニット２１３、ミラー２１５、２１６、レンズ２１７、ＣＣＤイメージセンサ（以下ＣＣＤと略称）２１８を備え、プリンタ部３００は、記録紙カセット３１１、３１２、レーザドライバ３２１、レーザ発光部３２２、感光ドラム３２３、現像器３２４、転写部３２５、定着部３２６、排出ローラ３２７、フラッパ３２８、再給紙搬送路３２９を備えている。
【００２９】
上記構成を詳述すると、リーダ部２００において、原稿給送ユニット２５０は、原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、光学ユニット２１３のランプ２１２を点灯すると共に光学ユニット２１３の移動を開始させて、原稿を露光走査する。この時の原稿からの反射光は、ミラー２１４、２１５、２１６及びレンズ２１７によってＣＣＤ２１８へ導かれる。このように、走査された原稿の画像はＣＣＤ２１８によって読み取られる。ＣＣＤ２１８から出力される画像データは、所定の処理が施された後、制御装置１１０へ転送される。
【００３０】
プリンタ部３００のレーザドライバ３２１は、レーザ発光部３２２を駆動するものであり、制御装置１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００３１】
そして、レーザ光の照射開始と同期したタイミングで、記録紙カセット３１１及び記録紙カセット３１２の何れかから記録紙を給紙して転写部３２５へ搬送し、感光同期３２３に付着された現像剤を記録紙に転写する。現像剤の乗った記録紙は定着部３２６に搬送され、定着部３２６の熱と圧力により現像剤は記録紙に定着される。定着部３２６を通過した記録紙は排出ローラ３２７によって排出され、排紙ユニット３３０は排出された記録紙を束ねて記録紙の仕分けをしたり、仕分けされた記録紙のステイプルを行う。
【００３２】
また、両面記録が設定されている場合は、排出ローラ３２７のところまで記録紙を搬送した後、排出ローラ３２７の回転方向を逆転させ、フラッパ３２８によって再給紙搬送路３２９へ導く。再給紙搬送路３２９へ導かれた記録紙は上述したタイミングで転写部３２５へ給紙される。
【００３３】
図１２は本発明の第１〜第２の実施の形態に係るプログラム及び関連データが記憶媒体から装置に供給される概念例を示す説明図である。プログラム及び関連データは、フロッピディスクやＣＤ−ＲＯＭ等の記憶媒体１２０１を装置１２０２に装備された記憶媒体ドライブ挿入口１２０３に挿入することで供給される。
その後、プログラム及び関連データを記憶媒体１２０１から一旦ハードディスクにインストールしハードディスクからＲＡＭにロードするか、或いはハードディスクにインストールせずに直接ＲＡＭにロードすることで、プログラム及び関連データを実行することが可能となる。
【００３４】
この場合、本発明の第１〜第２の実施の形態に係る画像入出力システムにおいて本発明のプログラムを実行する場合は、例えば上記図に示したような手順で画像入出力システムの画像入出力装置、ホストコンピュータにプログラム及び関連データを供給するか、或いは画像入出力システムの画像入出力装置、ホストコンピュータに予めプログラム及び関連データを格納しておくことで、プログラム実行が可能となる。
【００３５】
図１１は本発明の実施の形態に係るプログラム及び関連データを記憶した記憶媒体の記憶内容の構成例を示す説明図である。記憶媒体は、例えばボリューム情報１１０１、ディレクトリ情報１１０２、プログラム実行ファイル１１０３、プログラム関連データファイル１１０４等の記憶内容で構成される。本発明のプログラムは、後述の図３〜図４のフローチャートに基づきプログラムコード化されたものである。
【００３６】
尚、本発明の特許請求の範囲と本発明の第１〜第２の実施の形態との対応関係は下記の通りである。情報処理装置はホストコンピュータ４００に対応し、分割手段は制御装置１１０が備える機能に対応する。
【００３７】
次に、上記の如く構成された本発明の第１の実施の形態に係る画像入出力システムにおいて、ユーザがホストコンピュータ４００から画像入出力装置１００の記憶装置（ＨＤＤ）の種類を問い合わせ、その情報に基づき適切なパーティション情報を選択してＨＤＤにパーティションを作成する際の処理の流れを、図５〜図７の操作部画面と図３のフローチャートを参照しながら詳細に説明する。
【００３８】
先ず、画像入出力装置１００の操作部１５０からユーザが指示を行うことで、画像入出力装置１００とホストコンピュータ４００との間の通信モードに移行し、通常の操作が行えないようにする。その後、ユーザがホストコンピュータ４００から通信ソフトウェアを使用して、画像入出力装置１００の記憶装置（ＨＤＤ）１７０にパーティションを作成する。
【００３９】
ユーザは上記ソフトウェアを使用し、図５に示すようにホストコンピュータ４００の操作画面上で、画像入出力装置１００に対してＨＤＤの種類を問い合わせる（ステップＳ１０１）。ホストコンピュータ４００からの要求に対し、画像入出力装置１００は、記憶装置１７０の種類を示す情報をホストコンピュータ４００に送り返す（ステップＳ１０２）。ホストコンピュータ４００のソフトウェアは、画像入出力装置１００から送り返されたＨＤＤの種類を図６に示すようにソフトウェアの操作画面上に表示する（ステップＳ１０３）。
【００４０】
次に、ユーザは図７に示すように操作画面のリストから該当するＨＤＤの種類を選択する（ステップＳ１０４）。ホストコンピュータ４００のソフトウェアは、ＨＤＤの種類に対応したパーティション情報を画像入出力装置１００に送る（ステップＳ１０５）。画像入出力装置１００は、ホストコンピュータ４００から受信したパーティション情報を元に、記憶装置（ＨＤＤ）１７０にパーティションを作成し、その後、ホストコンピュータ４００に結果を送信する（ステップＳ１０６）。これにより本処理を終了する。
【００４１】
以上説明したように、本発明の第１の実施の形態に係る画像入出力システムによれば、ホストコンピュータ４００が、画像入出力装置１００のＨＤＤの種類を制御装置１１０に問い合わせると共に、ＨＤＤの種類に基づきＨＤＤを論理的に分割するパーティション情報を制御装置１１０に送信する制御を行い、画像入出力装置１００の制御装置１１０が、パーティション情報に基づきＨＤＤを論理的に分割する制御を行うため、下記のような作用及び効果を奏する。
【００４２】
画像入出力装置１００の制御装置１１０に装着された記憶装置（ＨＤＤ）のパーティションを作成／更新する際に、ホストコンピュータ４００から画像入出力装置１００の制御装置１１０にＨＤＤのモデル情報を問い合わせ、その情報を元にホストコンピュータ４００でパーティション情報を選択して、画像入出力装置１００の制御装置１１０に送信し、ＨＤＤのパーティションを更新できるようにする。これにより、どのようなＨＤＤが制御装置１１０に接続されていても、それをなるべく交換することなくパーティションを作成／更新できるようになるので、ＨＤＤ交換のコストや時間の削減に寄与することができるという効果を奏する。
【００４３】
［第２の実施の形態］
本発明の第２の実施の形態に係る画像入出力システムは、上記第１の実施の形態と同様に、画像入出力装置１００と、ホストコンピュータ４００から大略構成されており、画像入出力装置１００は、制御装置（コントローラ部）１１０と、操作部１５０と、記憶装置１７０と、スキャナユニット２１０・原稿給送ユニット（ＤＦユニット）２５０を有するリーダ部（画像入力装置）２００と、給紙ユニット３１０・マーキングユニット３２０・排紙ユニット３３０を有するプリンタ部（画像出力装置）３００とを備えている（上記図１参照）。各部の構成は上記第１の実施の形態で詳述したので説明を省略する。
【００４４】
また、本発明の第２の実施の形態に係る画像入出力装置１００は、上記第１の実施の形態と同様に、リーダ部２００は、原稿給送ユニット２５０、プラテンガラス２１１、ランプ２１２・ミラー２１４を有する光学ユニット２１３、ミラー２１５、２１６、レンズ２１７、ＣＣＤイメージセンサ（以下ＣＣＤと略称）２１８を備え、プリンタ部３００は、記録紙カセット３１１、３１２、レーザドライバ３２１、レーザ発光部３２２、感光ドラム３２３、現像器３２４、転写部３２５、定着部３２６、排出ローラ３２７、フラッパ３２８、再給紙搬送路３２９を備えている（上記図２参照）。各部の構成は上記第１の実施の形態で詳述したので説明を省略する。
【００４５】
次に、上記の如く構成された本発明の第２の実施の形態に係る画像入出力システムにおいて、ユーザがホストコンピュータ４００から画像入出力装置１００の記憶装置（ＨＤＤ）の種類を問い合わせ、その情報に基づき適切なパーティション情報を自動的に選択してＨＤＤにパーティションを作成する際の処理の流れを、図７〜図１０の操作部画面と図４のフローチャートを参照しながら詳細に説明する。
【００４６】
先ず、画像入出力装置１００の操作部１５０からユーザが指示を行うことで、画像入出力装置１００とホストコンピュータ４００との間の通信モードに移行し、通常の操作が行えないようにする。その後、ユーザがホストコンピュータ４００から通信ソフトウェアを使用して、画像入出力装置１００の記憶装置（ＨＤＤ）１７０にパーティションを作成する。
【００４７】
ユーザは上記ソフトウェアを使用し、ホストコンピュータ４００の図７の操作画面でＡｕｔｏを選択し、パーティションの自動作成を指示する。ホストコンピュータ４００のソフトウェアは、画像入出力装置１００に対してＨＤＤの種類を問い合わせる（ステップＳ２０１）。ホストコンピュータ４００からの要求に対し、画像入出力装置１００が記憶装置１７０の種類を示す情報をホストコンピュータ４００に送り返すと、ホストコンピュータ４００は、記憶装置１７０の種類を示す情報を受け取る（ステップＳ２０２）。
【００４８】
ホストコンピュータ４００のソフトウェアは、画像入出力装置１００から受け取った記憶装置（ＨＤＤ）１７０の種類の情報が未知の種類か既知の種類かを判別する（ステップＳ２０３）。ＨＤＤの種類が既知の種類であった場合には（ステップＳ２０３でＮＯ）、ホストコンピュータ４００のソフトウェアは、自動的にパーティション情報を選択し（ステップＳ２０４）、該パーティション情報を画像入出力装置１００に送信し（ステップＳ２０５）、図８の操作画面に示すように結果を表示する（ステップＳ２０６）。ＨＤＤの種類が未知の種類であった場合には（ステップＳ２０３でＹＥＳ）、ホストコンピュータ４００のソフトウェアは、図９の操作画面に示すように結果を表示する（ステップＳ２０７）。
【００４９】
次に、ユーザが図７の操作画面からＯｔｈｅｒを選択した場合には（ステップＳ２０８でＹＥＳ）、ホストコンピュータ４００は別ファイルとして保持しているパーティション情報を読み込み（ステップＳ２０９）、該パーティション情報を画像入出力装置１００に送信し（ステップＳ２０５）、図８の操作画面に示すように結果を表示する（ステップＳ２０６）。これにより本処理を終了する。
【００５０】
以上説明したように、本発明の第２の実施の形態に係る画像入出力システムによれば、ホストコンピュータ４００が、画像入出力装置１００のＨＤＤの種類を制御装置１１０に問い合わせると共に、ＨＤＤの種類に基づきＨＤＤを論理的に分割するパーティション情報を制御装置１１０に送信する制御を行い、画像入出力装置１００の制御装置１１０が、パーティション情報に基づきＨＤＤを論理的に分割する制御を行い、更に、ホストコンピュータ４００からはパーティションの自動作成をユーザにより指示可能としているため、下記のような作用及び効果を奏する。
【００５１】
上記第１の実施の形態と同様に、画像入出力装置１００の制御装置１１０に装着された記憶装置（ＨＤＤ）１７０のパーティションを作成／更新する際に、ホストコンピュータ４００から画像入出力装置１００のモデル情報を問い合わせ、その情報を元にホストコンピュータ４００でパーティション情報を選択して、画像入出力装置１００の制御装置１１０に送信するようにすることで、ＨＤＤ交換のコストや時間の削減に寄与することができるという効果を奏する。
【００５２】
［他の実施の形態］
（１）上述した本発明の第１〜第２の実施の形態においては、画像入出力システムを各１台ずつの画像入出力装置及びホストコンピュータから構成した場合を例に上げたが、本発明はこれに限定されるものではなく、画像入出力システムを任意台数の画像入出力装置及びホストコンピュータから構成する場合にも適用可能である。
【００５３】
（２）また、上述した本発明の第１〜第２の実施の形態においては、画像入出力装置の印刷方式として電子写真方式の場合を例に上げたが、本発明はこれに限定されるものではなく、インクジェット方式、熱転写方式、感熱方式、静電方式、放電破壊方式など各種印刷方式に適用可能である。
【００５４】
（３）また、上述した本発明の第１〜第２の実施の形態においては、ＨＤＤのパーティション作成／更新を画像入出力システムに適用した場合を例に上げたが、本発明はこれに限定されるものではなく、画像入出力システム以外の他のシステムにも適用可能である。
【００５５】
尚、本発明は、複数の機器から構成されるシステムに適用しても、１つの機器からなる装置に適用してもよい。上述した実施形態の機能を実現するソフトウエアのプログラムコードを記憶した記憶媒体を、システム或いは装置に供給し、そのシステム或いは装置のコンピュータ（またはＣＰＵやＭＰＵ）が記憶媒体等の媒体に格納されたプログラムコードを読み出し実行することによっても、達成されることは言うまでもない。
【００５６】
この場合、記憶媒体等の媒体から読み出されたプログラムコード自体が上述した実施形態の機能を実現することになり、そのプログラムコードを記憶した記憶媒体等の媒体は本発明を構成することになる。プログラムコードを供給するための記憶媒体等の媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭ、或いはダウンロードなどを用いることができる。
【００５７】
また、コンピュータが読み出したプログラムコードを実行することにより、上述した実施形態の機能が実現されるだけでなく、そのプログラムコードの指示に基づき、コンピュータ上で稼働しているＯＳなどが実際の処理の一部または全部を行い、その処理によって上述した実施形態の機能が実現される場合も含まれることは言うまでもない。
【００５８】
更に、記憶媒体等の媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施形態の機能が実現される場合も含まれることは言うまでもない。
【００５９】
【発明の効果】
以上説明したように、本発明によれば、画像処理装置の記録装置について簡単にパーティション情報を更新できるのでユーザビリティを向上させることができる。
【図面の簡単な説明】
【図１】本発明の第１〜第２の実施の形態に係る画像入出力装置及びホストコンピュータからなる画像入出力システムの全体構成を示すブロック図である。
【図２】本発明の第１の実施の形態に係る画像入出力システムの画像入出力装置のリーダ部及びプリンタ部の内部構造を示す構成図である。
【図３】本発明の第１の実施の形態に係る画像入出力システムにおいて、適切なパーティション情報を選択してＨＤＤにパーティションを作成する際の処理の流れを示すフローチャートである。
【図４】本発明の第２の実施の形態に係る画像入出力システムにおいて、適切なパーティション情報を自動的に選択してＨＤＤにパーティションを作成する際の処理の流れを示すフローチャートである。
【図５】本発明の第１の実施の形態に係るＨＤＤモデル取得画面を示す説明図である。
【図６】本発明の第１の実施の形態に係るＨＤＤモデル取得結果画面を示す説明図である。
【図７】本発明の第１〜第２の実施の形態に係るパーティション自動作成画面を示す説明図である。
【図８】本発明の第２の実施の形態に係るパーティション自動作成（成功）画面を示す説明図である。
【図９】本発明の第２の実施の形態に係るパーティション自動作成（失敗）画面を示す説明図である。
【図１０】本発明の第２の実施の形態に係るパーティション手動作成画面を示す説明図である。
【図１１】本発明の第１〜第２の実施の形態に係るプログラム及び関連データを記憶した記憶媒体の記憶内容の構成例を示す説明図である。
【図１２】本発明の第１〜第２の実施の形態に係るプログラム及び関連データが記憶媒体から装置に供給される概念例を示す説明図である。
【符号の説明】
１００  画像入出力装置
１１０  制御装置
１７０  記憶装置
２００  リーダ部
３００  プリンタ部
４００  ホストコンピュータ
４１０  ネットワーク
【図１】
0004560172.tif 000002
【図２】
0004560172.tif 000003
【図３】
0004560172.tif 000004
【図４】
0004560172.tif 000005
【図５】
0004560172.tif 000006
【図６】
0004560172.tif 000007
【図７】
0004560172.tif 000008
【図８】
0004560172.tif 000009
【図９】
0004560172.tif 000010
【図１０】
0004560172.tif 000011
【図１１】
0004560172.tif 000012
【図１２】
0004560172.tif 000013